(57)【要約】【課題】本発明の解決しようとする課題は、商品ケースの角部に表示可能であり、さらにさまざまな表示方法も可能な立体表示体を提案するものである。【解決手段】商品ケースに取り付けて情報の表示を行うための表示体であって、表面板と、該表面板の一方の側端から折罫線を介して連設した前記表面板よりも横幅の短い背面板とを有し、前記折罫線にそれぞれ対向する前記表面板の側端と背面板の側端とを連結することにより、半月柱状の立体を形成するものであり、前記背面板の下辺には、表示体を開封した商品ケースに上から挿入するための差込用フラップを連設し、前記背面板の中央に、前記差込用フラップにまで及ぶ縦折罫線を設けたことを特徴とする表示体。【選択図】図１
2013218232.tif 000002
【特許請求の範囲】
【請求項１】
商品ケースに取り付けて情報の表示を行うための表示体であって、表面板と、該表面板の一方の側端から折罫線を介して連設した前記表面板よりも横幅の短い背面板とを有し、前記折罫線にそれぞれ対向する前記表面板の側端と背面板の側端とを連結することにより、半月柱状の立体を形成するものであり、前記背面板の下辺には、表示体を開封した商品ケースに上から挿入するための差込用フラップを連設し、前記背面板の中央に、前記差込用フラップにまで及ぶ縦折罫線を設けたことを特徴とする表示体。
【請求項２】
前記差込用フラップは、横折罫線を介して前記背面板から連設されていることを特徴とする請求項１に記載の表示体。
【請求項３】
前記差込用フラップは、前記背面板の左右端部近傍の下端から上方に向かって形成したスリットによって区画形成されていることを特徴とする請求項１または２に記載の表示体。
【請求項４】
前記表面板の下辺と前記差込用フラップの下辺は、高さが等しいことを特徴とする請求項３に記載の表示体。
【請求項５】
前記背面板の上辺は、前記表面板の上辺よりも高さが低いことを特徴とする請求項１〜４のいずれか１項に記載の表示体。
【請求項６】
前記背面板は、粘着層と離型紙を備えたことを特徴とする請求項１〜５のいずれか１項に記載の表示体。
【発明の詳細な説明】
【技術分野】
【０００１】
本発明は、缶ビールや清涼飲料水などを収納する段ボールケースなどの商品ケースに取り付けて使用するＰＯＰ（Ｐｏｉｎｔ  Ｏｆ  Ｐｕｒｃｈａｓｅ）等の表示体に関する。
【背景技術】
【０００２】
近年販売店において、販売効率の向上を目的として缶ビールや清涼飲料水などの商品ケースを売り場に積み重ねて展示、販売する機会が増えている。このような販売方法では、複数の商品ケースを積み重ね、最上段のケースのみ開封して、ばら売りにもケース売りにも対応できるようにするのが、一般的である。
【０００３】
このような販売の場面において、他社製品との差別化を図るために、特定の商品を強くアピールするような、特別な表示をすることは、販売促進の点からも、重要な意味を持っている。
【０００４】
上記の目的でケースに取り付けて使用するＰＯＰ表示体が、単なる平面的な構造のものであると、横方向からは見えにくいため、訴求性においては不十分である。
【０００５】
特許文献１に記載された立体表示体は、このような観点からなされたものであって、表示片の両側に延出した翼片を互い違いに左右に引張って表示片を膨出させ、立体的な表示体としたものである。
【先行技術文献】
【特許文献】
【０００６】
【特許文献１】実公昭39-15550号公報
【発明の概要】
【発明が解決しようとする課題】
【０００７】
特許文献１に記載された立体表示体は、裏面側の粘着剤によって商品ケースの正面に貼り付けて固定する構造であるため、取り付け方法が限定されるとともに、一旦貼り付けたら、移動することができないものである。
【０００８】
実際の売り場では、商品ケースの置かれ方もさまざまであり、また販売が進むにつれて、商品ケースの山の形状自体も変わってくるので、このような固定的な表示方法しかできない表示体では、使い勝手が悪かった。また特に、従来存在しなかった、商品ケースの角部に取り付けられるような表示体が望まれていた。
【０００９】
本発明の解決しようとする課題は、商品ケースの角部に表示可能であり、さらにさまざまな表示方法も可能な立体表示体を提案するものである。
【課題を解決するための手段】
【００１０】
上記の課題を解決するための手段として、請求項１に記載の発明は、商品ケースに取り付けて情報の表示を行うための表示体であって、表面板と、該表面板の一方の側端から折罫線を介して連設した前記表面板よりも横幅の短い背面板とを有し、前記折罫線にそれぞれ対向する前記表面板の側端と背面板の側端とを連結することにより、半月柱状の立体を形成するものであり、前記背面板の下辺には、表示体を開封した商品ケースに上から挿入するための差込用フラップを連設し、前記背面板の中央に、前記差込用フラップにまで及ぶ縦折罫線を設けたことを特徴とする表示体である。
【００１１】
本発明に係る表示体は、表面板と、該表面板の一方の側端から折罫線を介して連設した表面板よりも横幅の短い背面板とを有するので、折罫線にそれぞれ対向する表面板の側端と背面板の側端とを連結することにより、半月柱状の立体構造を容易に形成することができる。
【００１２】
背面板の下辺には、表示体を開封した商品ケースに上から挿入するための差込用フラップを有し、背面板の中央に、差込用フラップにまで及ぶ縦折罫線を設けたので、縦折罫線に沿って背面板と差込用フラップを谷折りして、直角に折り曲げることにより、開封した商品ケースの角部に、差込フラップを上から差し込むことが可能となる。これによって、表示体を商品ケースの角部に容易に取り付けることができる。
【００１３】
また、請求項２に記載の発明は、前記差込用フラップが、横折罫線を介して前記背面板から連設されていることを特徴とする請求項１に記載の表示体である。
【００１４】
また、請求項３に記載の発明は、前記差込用フラップが、前記背面板の左右端部近傍の下端から上方に向かって形成したスリットによって区画形成されていることを特徴とする請求項１または２に記載の表示体である。
【００１５】
また、請求項４に記載の発明は、前記表面板の下辺と前記差込用フラップの下辺との高さが等しいことを特徴とする請求項３に記載の表示体である。
【００１６】
また、請求項５に記載の発明は、前記背面板の上辺が、前記表面板の上辺よりも高さが低いことを特徴とする請求項１〜４のいずれか１項に記載の表示体である。
【００１７】
また、請求項６に記載の発明は、前記背面板が、粘着層と離型紙を備えたことを特徴とする請求項１〜５のいずれか１項に記載の表示体である。
【発明の効果】
【００１８】
本発明に係る表示体は、表面板と、該表面板の一方の側端から折罫線を介して連設した前記表面板よりも横幅の短い背面板とからなる極めて簡単な構造でありながら、前記折罫線にそれぞれ対向する表面板の側端と背面板の側端とを連結するだけの簡単な組立操作により、容易に半月柱状の立体構造を持った表示体を形成することができる。また、組み立てる前は、平面状であるので、運搬に当って嵩張らず、輸送効率が良い。
【００１９】
背面板の中央に設けた縦折罫線を谷折りすることにより、差込用フラップを商品ケースの角部に挿入して固定することができる。なお縦折罫線を折らなければ、そのまま開封した商品ケースの前面に上から挿入して固定することもできる。
【００２０】
請求項２に記載の発明のように、差込用フラップが、横折罫線を介して背面板から連設されている場合には、この横折罫線を折って差込用フラップを水平方向に向けることにより、差込用フラップを積み重ねた商品ケースの間に挿入して表示することが容易に可能となる。
【００２１】
また請求項３に記載の発明のように、差込用フラップが、背面板の左右端部近傍の下端から上方に向かって形成したスリットによって区画形成されている場合には、差込フラップの位置が相対的に表示体の上方に移動するため、表示体の取り付け位置が下がり、表面板の表示位置が好ましい位置となる。また、このスリットによって商品ケースの壁を挟むようになるために、より確実に取り付けることができる。
【００２２】
またさらに請求項４に記載の発明のように、表面板の下辺と差込用フラップの下辺との高さを等しくした場合には、組み立てた表示体を商品ケースの上面などの平面の上に置いて表示することが可能となる。
【００２３】
請求項５に記載の発明のように、背面板の上辺の高さを表面板の上辺の高さよりも低くした場合には、正面から見た時に背面板が目立たなくなり、表示体の展示効果が向上する。
【００２４】
請求項６に記載の発明のように、背面板が、粘着層と離型紙を備えた場合には、垂直面に貼付して展示することが可能となる。
【図面の簡単な説明】
【００２５】
【図１】図１は、本発明に係る表示体の基本的な実施態様を示した正面斜視図である。
【図２】図２は、図１に示した表示体の背面斜視図である。
【図３】図３は、本発明に係る表示体の一実施態様を示した正面斜視図である。
【図４】図４は、図３に示した表示体の背面斜視図である。
【図５】図５は、図３、４に示した表示体のブランク形状を示した平面模式図である。
【図６】図６は、図３、４に示した表示体を商品ケースの角部に取り付けられるように、背面板の縦折罫線を谷折りした状態を示した背面斜視図である。
【図７】図７は、図６の状態を上から見た状態を示した平面模式図である。
【図８】図８は、図３、４に示した表示体の横折罫線を折って、差込用フラップを水平にして商品ケースの間に挿入して取り付ける状態を示した説明図である。
【図９】図９は、図３、４に示した表示体の差込用フラップを上から垂直に商品ケースに挿入して取り付ける状態を示した説明図である。
【図１０】図１０は、図３、４に示した表示体の縦折罫線を谷折りして、商品ケースの角部に取り付ける状態を示した説明図である。
【図１１】図１１（１）は、図３、４に示した表示体を、背面板の粘着テープを利用して、垂直な壁に取り付けた状態を示した説明図である。図１１（２）は、図３、４に示した表示体を水平な台に載置した状態を示した説明図である。
【図１２】図１２は、本発明に係る表示体の表面板の長さ（Ｌ）と背面板の長さ（Ｌ’）の関係を示した平面説明図である。
【発明を実施するための形態】
【００２６】
以下、図面を参照しながら、本発明に係る表示体の実施態様について詳細に説明する。図１は、本発明に係る表示体の基本的な実施態様を示した正面斜視図であり、図２は、図１に示した表示体（１ａ）の背面斜視図である。また図３は、本発明に係る表示体の一実施態様を示した正面斜視図である。図４は、図３に示した表示体（１ｂ）の背面斜視図で
ある。図５は、図３、４に示した表示体のブランク形状を示した平面模式図である。また図６は、図３、４に示した表示体を商品ケースの角部に取り付けられるように、背面板の縦折罫線を谷折りした状態を示した背面斜視図である。また図７は、図６の状態を上から見た状態を示した平面模式図である。以下これらの図を参照しながら説明する。
【００２７】
本発明に係る表示体は、商品ケースに取り付けて情報の表示を行うための表示体であって、表面板（３）と、表面板（３）の一方の側端から折罫線（１１）を介して連設した表面板（３）よりも横幅の短い背面板（４）とを有し、折罫線（１１）にそれぞれ対向する表面板（３）の側端と背面板（４）の側端とを連結することにより、半月柱状の立体を形成するものであり、背面板（４）の下辺には、表示体を開封した商品ケースに上から挿入するための差込用フラップ（６）を連設し、背面板（４）の中央に、差込用フラップ（６）にまで及ぶ縦折罫線（１３）を設けたことを特徴とする表示体である。
【００２８】
表示体の素材としては、厚紙、プラスチックシートなどある程度の腰があってかつ可撓性のある材料を用いる。表面板（３）の表面側には、目的とする商品をアピールするための絵や写真、文字などを印刷する。表面板（３）の形状は、図３に示したようにアピール効果を目的として自由に設定できる。
【００２９】
背面板（４）は、折罫線（１１）を介して表面板（３）に連設されており、背面板（４）の横幅の長さ（Ｌ’）は、表面板（３）の横幅の長さ（Ｌ）よりも短いため、折罫線（１１）にそれぞれ対向する表面板（３）の側端と背面板（４）の側端とを連結することにより、自動的に半月柱状の立体を形成する。
【００３０】
図５に示したように、この例では、側端同士の連結は、背面板（４）の側端に設けた組立用フラップ（８）を表面板（３）の側端に設けた組立用フラップ差込スリット（９）に差込んで固定するようになっているが、この連結方法に関しては、特に制約はなく、例えばフラップ（５）に粘着テープを貼っておき、背面板（４）の側端に直接貼り付けても良い。この例のように、組立用フラップ（８）を差込スリット（９）に差し込んで組み立てるような方法であると、廃棄時の解体が容易であり、また簡単に解体、再組立ができる。
【００３１】
なお、連結部分は、鋭角に折り曲げられるので、組立用フラップ（８）の付け根部分とフラップ（５）の付け根部分にはそれぞれ折罫線（１５）、（１２）を設けておくと良い。
【００３２】
表面板（３）の長さ（Ｌ）が、背面板（４）の長さ（Ｌ’）よりも長いことは必須であるが、表面板（３）の長さ（Ｌ）は、背面板の長さ（Ｌ’）の１．１倍〜２．３倍程度の範囲にあることが望ましい。
【００３３】
図１２は、本発明に係る表示体の表面板の長さ（Ｌ）と背面板の長さ（Ｌ’）の関係を示した平面説明図である。表示体（１）を商品ケース（２０）の角部に取り付けた時、表面板（３）の裏面が、商品ケースの角部に沿って直角に折り曲げた背面板（４）の角部に接触しなければ、背面板によって干渉されることなく、滑らかな曲線を描くことができる。
【００３４】
この限界は、図１２に示したように、Ｌ’×π／２√２≒１．１Ｌ’となる。すなわち表面板（３）の長さ（Ｌ）が背面板の長さ（Ｌ’）の１．１倍より長ければ、背面板（４）の中央に設けた縦折罫線（１３）を谷折りして、商品ケースの角部に取り付けた時に、表面板（３）の裏面が背面板（４）の裏面に干渉されることなく、滑らかな曲線を描くことができる。表面板（３）の長さの上限は特にないが、あまり長すぎるとだらしのない形状になる恐れがある。
【００３５】
図６、７は、図３〜５に示した表示体（１ｂ）の縦折罫線（１３）を直角に谷折りした状態を示した背面斜視図と、平面模式図である。この例では、表面板（３）の長さ（Ｌ）は、背面板（４）の長さ（Ｌ’）の約１．３倍になっている。
【００３６】
図１、２に示した表示体（１ａ）は、このままの状態で、図９に示した表示体（１ｂ）のように差込用フラップ（６）を開封した商品ケースの上から差し込んで固定することができる。また縦折罫線（１３）を谷折りして直角に曲げることにより、図１０に示したように、商品ケースの角部に上から差し込んで固定することができる。
【００３７】
縦折罫線（１３）は、折り曲げやすいように切り込み線（１６）を含むリード罫線とするのが望ましく、さらに一旦折り曲げてから元に戻して折りぐせをつけておくとさらに良い。
【００３８】
図３〜７に示した表示体（１ｂ）は、ビール用のＰＯＰの例であり表面板（３）の中央部にビールグラスをかたどった突起部が設けられている。背面板（４）の上辺は、前記突起部を除く表面板（３）の上辺よりも高さが低くなるように、左右両端部にテーパー部が設けてある。このようにすることにより、正面から見た時に、背面板（４）が目に入りにくくなり、デザイン的に好ましいものとなっている。
【００３９】
図３〜７に示した表示体（１ｂ）では、差込用フラップ（６）は、横折罫線（１４）を介して背面板（４）から連設されており、さらに差込用フラップ（６）は、背面板（４）の左右端部近傍の下端から上方に向かって形成したスリット（７）によって区画形成されている。また表面板（３）の下辺と差込用フラップ（６）の下辺は、高さが等しくなっている。また背面板（４）には、粘着テープ（１７）が設けられている。
【００４０】
図３〜７に示した表示体（１ｂ）では、差込用フラップ（６）の付け根に横折罫線（１４）が設けられているので、図４の状態からこの横折罫線（１４）を谷折りして差込用フラップ（６）を直角に引き起こすことにより、図８に示したように、差込用フラップ（６）を商品ケース（２０）の間に水平に挿入して固定することができる。
【００４１】
また図４の状態でそのまま差込用フラップ（６）を開封した商品ケースの上から挿入して、図９に示したように、商品ケースの正面に固定することができる。
【００４２】
また図６に示したように、縦折罫線（１３）を直角に谷折りして、図１０に示したように、開封した商品ケースの角部に上から挿入して固定することができる。
【００４３】
またさらに、本実施態様においては、背面板（４）に粘着テープ（１７）を設けたので、図１１（１）に示したように、この粘着テープを利用して垂直の壁に貼り付けて表示することもできる。
【００４４】
また、表面板（３）の下辺と差込用フラップ（６）の下辺は、高さが等しいので、表示体（１ｂ）の底面は平坦であり、従って図１１（２）に示したように水平な台の上に載置して表示することもできる。
【００４５】
また特に図示はしないが、図３〜７に示した表示体（１ｂ）は、横折罫線（１４）から下の縦折罫線（１３）を切断することにより、図６の状態から左右の差込用フラップ（６）を横折罫線（１４）で直角に折り曲げることにより、積み重ねた商品ケースの角部に横から差し込んで固定するような使い方もできる。
【００４６】
この時、２枚の差込用フラップ（６）が確実に固定されるように、下になる差込用フラップに設けた粘着テープ（１７）を利用すると形状が固定されてしっかりした構造体となる。
【００４７】
なお、背面板（４）に、縦折罫線（１３）や横折罫線（１４）の位置を分り易く表示したり、表示体の組み立て方法や展示方法などの説明を印刷表示することは、好ましいことである。
【００４８】
以上説明したように、本発明に係る表示体は、簡単な構造でありながら、さまざまな表示方法が可能であるため、実際の売り場において、現場の状況に応じた展示方法を自由に選択することができ、極めて利用価値が高いものである。
【符号の説明】
【００４９】
１、１ａ、１ｂ・・・表示体
２・・・ブランク
３・・・表面板
４・・・背面板
５・・・フラップ
６・・・差込用フラップ
７・・・スリット
８・・・組立用フラップ
９・・・組立用フラップ差込スリット
１１・・・折罫線
１２・・・折罫線
１３・・・縦折罫線
１４・・・横折罫線
１５・・・折罫線
１６・・・切り込み線
１７・・・粘着テープ
２０・・・商品ケース
Ｌ・・・表面板の長さ
Ｌ’・・・背面板の長さ
【図１】
2013218232.tif 000003
【図２】
2013218232.tif 000004
【図３】
2013218232.tif 000005
【図４】
2013218232.tif 000006
【図５】
2013218232.tif 000007
【図６】
2013218232.tif 000008
【図７】
2013218232.tif 000009
【図８】
2013218232.tif 000010
【図９】
2013218232.tif 000011
【図１０】
2013218232.tif 000012
【図１１】
2013218232.tif 000013
【図１２】
2013218232.tif 000014